(57)【要約】開口部を有する内部空間を形成した本体を有するカプセルが提供される。材料チャンバを形成するためにフィルターが内部空間に配置される。材料は、材料チャンバに配置され、内部空間を密閉するためにカバーが開口部を覆って配置される。トリガーイベント、カバーの除去、あるいは機械におけるカプセルの使用の後に伝えられ、所望のメッセージあるいはしるしを提供するために、メッセージングシステムがカプセルの内部に提供される。（図１）
2016518884.tif 000002
【特許請求の範囲】
【請求項１】
所望の製品を作るために機械にて使用されるカプセルであって、その機械はカプセル内へ流体を注入する注入システム、及びカプセルから所望の入れ物へ製品を分配する分配システムを有し、上記カプセルは、
開口部を有する内部空間を形成する本体と、
所望の製品を作るために流体と混合する、上記内部空間に配置された材料と、
上記内部空間に配置されたメッセージングシステムと、このメッセージングシステムはトリガーイベントの発生において促進用情報を提供するのに適している、
上記内部空間を密閉する、上記開口部を覆い配置されるカバーと、
を備えたカプセル。
【請求項２】
上記トリガーイベントは上記カプセルへの流体の注入を含む、請求項１に記載のカプセル。
【請求項３】
上記メッセージングシステムは、流体がカプセルに注入されたときを検出する水分センサーを備える、請求項２に記載のカプセル。
【請求項４】
上記メッセージングシステムは、機械の注入システム及び分配システムの少なくとも一つによってカプセルが突き刺されたときを検出するセンサーを備える、請求項２に記載のカプセル。
【請求項５】
上記メッセージングシステムは、さらに信号伝達システムを備え、この信号伝達システムは、カプセル内へ流体が注入されたときを上記水分センサーが検出したことにおいて所望の信号を発する、請求項３に記載のカプセル。
【請求項６】
上記メッセージングシステムは、さらに信号伝達システムを備え、この信号伝達システムは、機械の注入システム及び分配システムの少なくとも一つによってカプセルが突き刺されたときをセンサーが検出したことにおいて所望の信号を発する、請求項３に記載のカプセル。
【請求項７】
上記メッセージングシステムは、カプセルによって作られることが意図される製品と通常関連しない一もしくは複数の特有の属性を、カプセルから分配される製品が有するために、当該カプセルに注入された流体と相互作用するのに適した物質を備える、請求項１に記載のカプセル。
【請求項８】
上記メッセージングシステムは発音部を備える、請求項１に記載のカプセル。
【請求項９】
上記メッセージングシステムはタグを備える、請求項１に記載のカプセル。
【請求項１０】
上記材料の少なくとも幾つかを濾過する、上記内部空間に配置されたフィルターをさらに備える、請求項１に記載のカプセル。
【請求項１１】
所望の製品を作るために機械にて使用されるカプセルであって、その機械はカプセル内へ流体を注入する注入システム、及びカプセルから所望の入れ物へ製品を分配する分配システムを有し、上記カプセルは、
開口部を有する内部空間を形成する本体と、
所望の製品を作るために流体と混合する、上記内部空間に配置された材料と、
上記内部空間を密閉する、上記開口部を覆い配置されるカバーと、このカバーは、機械におけるカプセルの使用後、上記開口部から少なくとも部分的に除去されるように適用される、
カプセルの内面に表示されるしるしと、このしるしは、上記カバーがカプセルから少なくとも部分的に除去された状態においてのみ所望のメッセージを伝えるのに適している、
を備えたカプセル。
【請求項１２】
上記材料の少なくとも幾つかを濾過する、上記内部空間に配置されたフィルターをさらに備える、請求項１１に記載のカプセル。
【請求項１３】
上記しるしは、上記本体の内面に表示される、請求項１１に記載のカプセル。
【請求項１４】
上記しるしは、上記内部空間に面する上記カバーの面に表示される、請求項１１に記載のカプセル。
【請求項１５】
上記本体は、上記しるしを表示するメッセージング層、及びメッセージング層を覆い上記内部空間に面するシール層を含む多層材料を備える、請求項１２に記載のカプセル。
【請求項１６】
上記カバーは、上記しるしを表示するメッセージング層、及びメッセージング層を覆い上記内部空間に面するシール層を含む多層材料を備える、請求項１２に記載のカプセル。
【請求項１７】
所望の製品を作るために機械にて使用されるカプセルであって、その機械はカプセル内へ流体を注入する注入システム、及びカプセルから所望の入れ物へ製品を分配する分配システムを有し、上記カプセルは、
開口部を有する内部空間を形成する本体と、
所望の製品を作るために流体と混合する、上記内部空間に配置された材料と、
上記内部空間を密閉する、上記開口部を覆い配置されるカバーと、
カプセルの内面に表示されるしるしと、このしるしは、当該カプセルが機械にて使用された状態においてのみ所望のメッセージを伝えるのに適している、
を備えたカプセル。
【請求項１８】
カプセルの一部は、上記しるしを見せるために機械における使用後に除去されるのに適している、請求項１７に記載のカプセル。
【発明の詳細な説明】
【技術分野】
【０００１】
この明細書は、カプセルから製品を作る機械における使用に適したカプセルに関し、特に、プロモーションメッセージのようなメッセージを配送するシステムを有するカプセルに関する。
【背景技術】
【０００２】
以下の背景記述は、下に述べるいずれのものも先行技術あるいはありふれた一般知識として引用可能であるということを自認するものではない。以下に列記した各文献は、その全体が、それらに関連するこれによってここに組み込まれる。
【０００３】
消費可能な所望の製品を作るために機械にて使用される単一の給仕カプセルは、ますます普及してきている。このようなカプセルは、様々な形式において存在し、最も一般的なものがエスプレッソコーヒー、ドリップコーヒー、茶、ホットチョコレートあるいはスープブイヨンのような飲料を生産するものである。
【０００４】
単一の給仕カプセルの高まる人気、及びカプセル生産者間の増加した競争により、消費可能なカプセルの一つのブランドを別のものを超えて購入するように消費者を奨励する方法を見つけることが望ましい。カプセルを購入するように消費者を奨励する一つの方法は、カプセルを購入することによって消費者が当たった賞に関する情報のような、促進用の情報をカプセル内に設けることである。
【０００５】
また、環境上責任ある方法の処分のために、ここでカプセルはこの目的に適しており、使用後にカプセルの部品を分離あるいは分解することを消費者に奨励することが望ましい。カプセルの部品を分解することを消費者に奨励する一つの方法は、上で述べたような促進用の情報をカプセルの内部空間内に設けることであり、ここでそのような情報は、情報にアクセスするために、少なくとも部分的にカプセルが分解されることを要求する。
【０００６】
上述した一もしくは複数の行動のような所望の行動を奨励するために、消費者へメッセージを提供するのに適したカプセルの必要性がある。
【発明の概要】
【０００７】
一つの態様において、発明は、所望の製品を作るために機械にて使用されるカプセルを提供し、その機械はカプセル内へ流体を注入する注入システムと、カプセルから所望の入れ物へ製品を分配する分配システムとを有する。上記カプセルは、
開口部を有する内部空間を形成する本体と、
所望の製品を作るために流体と混合する上記内部空間に配置された材料と、
上記内部空間に配置されたメッセージングシステムと、このメッセージングシステムは促進用情報（promotional information）を提供するのに適している、
上記内部空間を密閉する、上記開口部を覆い配置されるカバーと、
を備える。
【０００８】
別の態様では、発明は、所望の製品を作るために機械にて使用されるカプセルを提供し、その機械はカプセル内へ流体を注入する注入システムと、カプセルから所望の入れ物へ製品を分配する分配システムとを有する。上記カプセルは、
開口部を有する内部空間を形成する本体と、
所望の製品を作るために流体と混合する上記内部空間に配置された材料と、
上記内部空間を密閉する、上記開口部を覆い配置されるカバーと、このカバーは機械でのカプセルの使用後、開口部から少なくとも部分的に除去されるのに適している、
カプセルの内面に表示されるしるし（indicia）と、このしるしは、カバーがカプセルから少なくとも部分的に除去されたときのみ、所望のメッセージを伝えるのに適している、
を備える。
【０００９】
別の態様において、発明は、所望の製品を作るために機械にて使用されるカプセルを提供し、その機械はカプセル内へ流体を注入する注入システムと、カプセルから所望の入れ物へ製品を分配する分配システムとを有する。上記カプセルは、
開口部を有する内部空間を形成する本体と、
所望の製品を作るために流体と混合する上記内部空間に配置された材料と、
上記内部空間を密閉する、上記開口部を覆い配置されるカバーと、
カプセルの内面に表示されるしるしと、このしるしは、カプセルが機械にて使用されたときのみ、所望のメッセージを伝えるのに適している、
を備える。
【００１０】
他の態様及びここに示された教示の特徴は、明細書における特定例の以下の記述の検討において当業者に明白になるだろう。
【図面の簡単な説明】
【００１１】
【図１】図１は、本発明によるカプセルの断面図であり、カプセルは、カプセルから製品を作るための機械の概略表示に配置される。
【図２（ａ）】本発明によるメッセージングシステムの異なる実施形態を有するカプセルの閉鎖された形態の断面図である。
【図２（ｂ）】本発明によるメッセージングシステムの異なる実施形態を有するカプセルの閉鎖された形態の断面図である。
【図２（ｃ）】本発明によるメッセージングシステムの異なる実施形態を有するカプセルの閉鎖された形態の断面図である。
【図３（ａ）】図２（ｂ）に示されるメッセージングシステムで使用するための信号伝達システムの異なる実施形態の概略図である。
【図３（ｂ）】図２（ｂ）に示されるメッセージングシステムで使用するための信号伝達システムの異なる実施形態の概略図である。
【図３（ｃ）】図２（ｂ）に示されるメッセージングシステムで使用するための信号伝達システムの異なる実施形態の概略図である。
【図４】本発明の実施形態によるメッセージングシステムを有する、カプセルの開く形態の断面図である。
【図５】発明の実施形態によるカプセル用のカバーの断面図である。
【図６】発明の実施形態によるカプセル用の本体の断面図である。
【図７】本発明の別の実施形態によるメッセージングシステムを有する、カプセルの開く形態の断面図である。
【発明を実施するための形態】
【００１２】
ここに含まれた図面は、本明細書の記述、方法、及び装置の種々の例を説明するためのものであり、任意の方法で教示されるものの範囲を制限するようには意図されない。図示の単純さ及び明瞭さのために、適切と考えられるところで、対応するあるいは類似する要素を示すために、参照符号は図面間で繰り返されるかもしれない。
【００１３】
様々な実施形態の記述
請求された発明の例を提供するために、種々の装置あるいは方法が以下に述べられるだろう。請求された発明は、以下に記載するいずれか一つの装置あるいは方法の全ての特徴を有する装置あるいは方法に、又は以下に記載する複数のあるいは全ての装置に共通の特徴に、制限されない。請求された発明は、以下に記載する装置の要素、あるいは方法のステップのコンビネーションあるいはサブコンビネーションに属してもよい。以下に記載する装置あるいは方法は、請求された発明の例ではないという可能性がある。出願人、発明者、及び／又は所有者は、この書類において請求していない、以下に記載する装置あるいは方法において開示するいずれの発明における全ての権利を留保し、かつ、この書類におけるその開示によって引き渡さず、放棄せず、公衆に捧げない。
【００１４】
本発明によるカプセルは、図において１０で一般的に示されている。カプセル１０は、本体１２、フィルター１４、材料１６、及びカバー１８を含んでいる。本体１２及びカバー１８のそれぞれは、光、酸素、及び湿気のような一もしくは複数の環境要因に対するバリアを提供する一もしくは複数のバリア層を含む多層材料から形成されてもよい。
【００１５】
カプセル１０は、カプセル１０から製品を作るのに適した機械２０において使用するために寸法が決められ構成される。注入システム２２は、材料１６と混合するためにカプセル内へ流体を、典型的には水を、注入するために提供されてもよい。分配システム２４もまた、ボウルあるいはカップ（図示せず）のような所望の入れ物内へカプセル１０から製品（流体で材料１６を混合することにより形成される）を分配するために提供されてもよい。
【００１６】
注入システム２２は、カプセル１０内へ流体を注入するためにカバー１８を貫通するのに適した、機械２０に配置されたノズル２２ａを含んでもよい。あるいはまた注入システム２２は、カプセル１０内へ流体を注入するために、カバー１８におけるようにカプセル１０において配置され、かつ本体１２を貫通して機械２０と相互作用するのに適した少なくとも一つの部品を有してもよい。
【００１７】
分配システム２４は、作られた製品をカプセル１０から所望の入れ物内へ分配するためにカプセル１０を貫通するのに適した、機械２０に配置されたプローブ２４ａを含んでもよい。あるいはまた分配システム２４は、カプセル１０を貫通して入れ物へ製品を分配するために、本体１２におけるようにカプセル１０において配置され、機械２０と相互作用するのに適した少なくとも一つの部品を有してもよい。
【００１８】
本発明は、全ての形態のカプセル１０で使用することを意図し、機械２０あるいはカプセル１０に関連した、特別な形態の注入システム２２あるいは分配システム２４に制限されることを意図しない。
【００１９】
カプセル１０の本体１２は、共に内部空間３４を形成する側壁３０及び端壁３２を含む。開口部３６が本体１２の片端に形成され、フランジ３８が開口部３６の周辺を回って延在する。
【００２０】
別の実施形態（図示せず）において、本体１２は、端壁３２及び側壁３０あるいは部分的な側壁３０を形成しないかもしれない。フランジ３８は、カバー１８を受け取りかつ機械２０内にカプセル１０を支持するために、やはり開口部３６の周辺を回り延在するかもしれない。フィルター１４は、フランジ３８に、あるいは部分的な側壁３０に、あるいはカバー１８の下側に固定されるかもしれない。
【００２１】
フィルター１４は、一もしくは複数の材料１６を受け入れる少なくとも一つの材料チャンバ４０を内部空間２４内に形成するために本体１２内に配置されるのに適している。フィルター１４は、フランジ３８に、あるいはカプセル１０の内面に（開口部３６に近いあるいは端壁３２に近い側壁３０に、あるいはカバー１８の下側）に固定されてもよい。カプセル１０は、材料が可溶である場合、あるいは流体と一緒に材料１６が所望の入れ物内へ分配されることが望まれる場合には、フィルター１４なしで提供されてもよい。
【００２２】
カバー１８は、開口部３６を覆って配置され、フランジ３８にカバー１８をシールするように本体１２に固定される。
【００２３】
促進用情報（promotional information）のような所望の情報を消費者に伝えるために、メッセージングシステム４０がカプセル１０に設けられる。メッセージングシステム４０は、機械２０におけるカプセル１０の使用のような所望の発生（occurrence）まで消費者に隠されるのに適する。
【００２４】
カプセル１０の正常な使用中あるいは使用後に、カプセルの部品が開かれるあるいは分解されることを意図しない場合には、カプセル１０は、カプセルの閉鎖された形態（closed system）でもよい。カプセル１０を分解するためにナイフあるいははさみの使用は、正常な使用であると考えられない。あるいはまた、カプセルの正常な使用中あるいは使用後に、一もしくは複数の部品が開かれるあるいは分解されるのに適する場合には、カプセル１０は、カプセルの開く形態であってもよい。メッセージングシステム４０の形状及び位置は、カプセル１０のシステムによって変わるかもしれない。
【００２５】
図２（ａ）から図２（ｃ）を参照して、カプセル１０の閉鎖された形態に適したメッセージングシステム４０の異なる実施形態が示されている。このような実施形態は、カプセル１０の開く形態にも同様に組み込まれてもよいことが理解されるだろう。
【００２６】
メッセージングシステム４０は、カプセル１０に設けられ、カプセル１０が開かれるあるいは分解されることを要求せずに、促進用情報のような所望の情報を伝えるのに適している。所望の情報は、機械２０におけるカプセル１０の使用中のように、消費者によるカプセル１０の購入後に一般的に伝えられる。
【００２７】
メッセージングシステム４０の一つの例は、カプセル１０によって作られることが意図される製品と、通常、関連しない一もしくは複数の特有の属性を、カプセル１０から分配された製品が有するために、カプセル１０に注入された流体と相互作用するのに適した、カプセル１０に配置された物質４０ａである。特有の属性は、特有の色、臭い、音、食感、あるいは味の属性を含んでいるかもしれない。例えば、物質４０ａは、着色色素、風味あるいは芳香添加剤、又は、泡立つ即ち起泡剤であってもよい。あるいはまた物質４０ａは、本体１２あるいはカバー１８の内側接面に適用（applied）され、本体１２あるいはカバー１８により促進用情報を示すために、カプセル１０の使用の間に色が変わるあるいは溶ける、温度感受性インクあるいは水溶性染料を含むかもしれない。
【００２８】
特別な材料１６ａは、製品を作るために通常使用される材料１６の代わりにカプセル１０に配置されてもよい。特別の材料１６は、例えば、物質４０ａによって生成される特有の属性を増強する材料であってもよい。特別の材料１６は、機械２０での使用に先立って重さあるいは感覚によって消費者がカプセル１０の内容を識別することができないために、カプセル１０と共に通常使用される材料１６に対して同様の重さ及び濃度を有するのが好ましい。
【００２９】
カプセル１０は、カプセル１０によって伝えられる促進用情報を確認するのに適した検証システム４２をさらに含んでもよい。検証システム４２は、カプセルの内側あるいは外側に配置されたしるし４２ａを含むかもしれない。しるし４２ａは、カプセル１０によって伝えられた情報の信頼性を確認するのに適した、単語（例えば「勝者」）、通し番号、画像、あるいは他のしるしを備えてもよい。検証システム４２はまた、本体あるいはフィルター１４（フィルター１４用に使用される繊維に直接配置されたソースしるし（source indicia）のように）用の材料内に組み込まれてもよい。
【００３０】
メッセージングシステム４０の別の例は、カプセル１０に配置されトリガーイベント（triggering event）の後に信号を発するのに適した視覚的あるいは聴覚的な信号伝達システム４０ｂである。信号伝達システム４０ｂは、例えば、閃光、視覚的な画像、アラーム音、楽節、オーディオメッセージ、あるいは適切な任意の他の可視的あるいは音響的な信号を生成してもよい。信号伝達システム４０ｂは、機械２０によるカプセル１０への流体の注入中のように、湿気にさらされることにより活性化されてもよい。あるいはまた、信号伝達システム４０ｂは、信号伝達システム４０ｂに関連した電気回路を完成するあるいは中断することによるような、機械２０の注入システム２２あるいは分配システム２４との相互作用によって活性化されてもよい。
【００３１】
図３（ａ）から図３（ｃ）を参照して、信号伝達システム４０ｂの異なる実施形態が示されている。信号伝達システム４０ｂは、電源４３、センサー４４（水分センサーのような）、プロセッサー４６、及びＬＥＤあるいはスピーカーのような信号伝達装置４８を含む。プロセッサー４６は、信号伝達装置４８から発せられる一もしくは複数の信号を格納するための記憶装置４８ａを含んでもよい。図３（ａ）に示される信号伝達システム４０ｂは、水分センサー４４を含み、端壁３２のような湿気にさらされる、カプセル１０の表面に固定されてもよい。図３（ｂ）及び図３（ｃ）に示される信号伝達システム４０ｂは、プローブ２４ａ（図３（ｂ）に示されたような）あるいはノズル２２ａ（図３（ｃ）に示されたような）によって突き刺されたことに適したセンサー４４を含む。センサー４４は、プローブ２４ａあるいはノズル２２ａの貫通によって完成あるいは中断する電気回路を含んでもよい。
【００３２】
メッセージングシステム４０の別の例は、カプセル１０の外側にある対応の送信器あるいは受信器と相互作用するのに適した送信器あるいは受信器を有する識別システム４０ｃである。識別システム４０ｃは、例えば、ＲＦＩＤタグのような、カプセル１０に配置されて、及び、機械２０に配置された、ＲＦＩＤリーダーのようなリーダーと相互作用するのに適したタグを含んでいる。あるいはまたリーダーは、カプセル１０が購入される小売店での在庫管理システムに関係しているかもしれない。あるいはまた識別システム４０ｃは、カプセル１０の外面に配置され、機械２０に配置されたバーコードリーダーと相互作用するのに適したバーコードシステムであってもよい。あるいはまたバーコードリーダーは、カプセル１０が購入される小売店に配置されてもよい。
【００３３】
図４から図７に示されるような別の実施形態において、カプセル１０は、カプセル１０の一もしくは複数の部品が正常な使用の間、開かれるあるいは分解されるのに適したものである、開く形態である。上で議論した実施形態と同様のエレメントを参照するために、同様の参照符号が使用される。
【００３４】
カプセル１０は、開口部３６を覆い配置され本体１２に固定されるカバー１８を含んでいる。カバー１８は、カプセル１０の使用後、カバー１８に配置されたタブ６０ａを引っぱりカバーを本体１２から離れて剥がすことによるように、本体１２から分離されるのに適している。フィルター１４は、カバー１８に固定されてもよく、よってカバー１８と共に本体１２から分離される。あるいはまたフィルター１４は、例えば、フィルター１４に配置されたタブ６０ｂを引っぱり、本体１２からフィルター１４を剥がすことによって分離されるのに適した方法で本体１２に固定されてもよい。あるいはまた、フィルター１４及びカバー１８は、タブ６０ａ、６０ｂを把持することによって本体１２から同時に剥がされてもよく、そしてフィルター１４は、タブ６０ａ、６０ｂを用いて離して引っ張ることでカバー１８からその後に剥がされる。
【００３５】
カプセル１０は、機械４０におけるカプセル１０の使用に先立って除去されることを意図した、カプセル１０の一部を覆い配置された除去可能なクロージャー６２を含んでいてもよい。除去可能なクロージャー６２は、例えば、カプセル１０の端壁３２に形成された開口６４をカバーするために設けられてもよい。除去可能なクロージャー６２は、使用前における材料１６の新鮮さを保存するためにバリアシールを設けてもよい。除去可能なクロージャー６２は、製品がカプセル１０から分配されることを可能にするように開口６４を露出するために、機械２０へのカプセル１０の配置前に除去される。
【００３６】
一もしくは複数の除去可能な部品を有するカプセル１０の例は、共に係属中の米国特許出願６１／７６０８８０、１４／０９８９１５、及び２０１２／００５８２２６に提供され、これらのそれぞれは、その全体が参考としてここに組み込まれる。
【００３７】
図４を参照して、メッセージングシステム４０は、カプセル１０の正常な使用中あるいは使用後に露出されるしるし４０ｄを備える。しるし４０ｄは、単語（例えば「勝者」）、通し番号、画像、あるいは促進用情報を伝えるのに適した他のしるしを含んでもよい。しるし４０ｄは、フィルター１４、カバー１８あるいは除去可能なクロージャー６２が本体１２から除去されるまで隠れている、本体１２の、側壁３０あるいは端壁３２のような内壁に、又は、フィルター１４、カバー１８あるいは除去可能なクロージャー６２に適用されたエンボス加工されたもの、押印されたもの、印刷されたもの、貼付されたもの、あるいはその他のものであってもよい。あるいはまた、しるし４０ｄは、フィルター１４の特有の色（例えば金色のフィルター）、又は本体１２、カバー１８あるいは除去可能なクロージャー６２の内側接面の特有の色であってもよい。
【００３８】
好ましくは、しるし４０ｄは、機械２０におけるカプセル１０の使用に関連する極端な温度にさらされることによって影響されない方法でカプセル１０に適用される。好ましくは、しるし４０ｄは、レーザーによるようにカプセル１０の表面へエッチングされる、スクライブされる、あるいはエンボス加工される。しるし４０ｄは、好ましくは、不正変更及び偽物を低減するために、カプセル１０の生産に関する詳細（日付、時間、場所、バッチ番号などのような）を含む独特なコードを含む。
【００３９】
一つの実施形態において、カプセル１０は、以下に記述し示すように、メッセージングシステム４０を含む多層材料を備えたカバー１８、除去可能なクロージャー６２、及び／又は本体１２によって形成されてもよい。
【００４０】
図５を参照して、カバー１８の断面図が示されている。カバー１８は、当技術で知られるように、外側層Ｏ１、グラフィックス層Ｇ１、バリア層Ｂ１、及びシール層Ｓ１を含んでいる多層材料で形成される。カバー１８は、さらに、バリア層Ｂ１とシール層Ｓ１との間に配置されたしるし４０ｄを有するメッセージング層Ｍ１を含む。しるし４０ｄは、印刷によるようなグラフィックスを適用する既知の方法でメッセージング層Ｍ１に配置されてもよい。シール層Ｓ１は、所望の製品の形成前にあるいはその形成中に、しるし４０ｄを形成するのに使用されたインクあるいは他の材料を、カプセル１０の内容物との接触からシールするために設けられる。シール層Ｓ１は、好ましくは、メッセージングシステム４０からのしるし４０ｄがシール層Ｓ１を通して見ることができるポリエチレン（ＰＥ）のような透明材料で形成される。除去可能なクロージャー６２は、しるし４０ｄを有するカバー１８と同様の方法において形成されてもよい。
【００４１】
図６を参照して、本体１２の断面図が示されている。本体１２は、当技術で知られるように、外側層Ｏ２、バリア層Ｂ２、及びシール層Ｓ２を含む多層材料で形成される。グラフィックス層（図示せず）は、外側層Ｏ２とバリア層Ｂ２との間に任意的に配置されてもよい。本体１２は、さらに、バリア層Ｂ２とシール層Ｓ２との間に配置されたしるし４０ｄを有するメッセージング層Ｍ２を含んでいる。しるし４０ｄは、印刷によるようなグラフィックスを適用するための既知の方法でメッセージング層Ｍ２に配置されてもよい。シール層Ｓ２は、所望の製品の形成前にあるいはその形成中に、しるし４０ｄを形成するのに使用されたインクあるいは他の材料を、カプセル１０の内容物との接触からシールするために設けられる。シール層Ｓ２は、好ましくは、メッセージングシステム４０からのしるし４０ｄがシール層Ｓ２を通して見ることができるポリエチレン（ＰＥ）のような透明材料で形成される。
【００４２】
一つの実施形態において、カバー１９あるいは本体１２は、透明な多層材料から形成されてもよい。透明材料の一部をカバーするために、グラフィックスは、既知の方法でグラフィックス層に適用されてもよく、及び、対応するしるし４０ｄは、しるし４０ｄがカプセル１０の外部から見えないように、しるし４０ｄがグラフィックスの下に配置される位置にてメッセージング層Ｍに適用されてもよい。あるいはまた、第１のＵＶ（紫外線）インク７０のような透明なマスキング剤がグラフィックス層に塗布されてもよく、また、第２のＵＶインク７２で形成されてもよいような透明なしるし４０ｄがメッセージング層Ｍに適用されてもよい。透明なマスキング剤は、透明なしるしがカプセル１０の外側から検知されることを遮るように作用する。透明なしるし４０ｄは、ＵＶライトで照らされたときのような特定の条件にさらされたときに識別されるのに適している。
【００４３】
図７を参照して、メッセージングシステム４０はまた、カプセル１０内に配置された促進用の対象物４０ｅを含んでもよい。促進用対象物４０ｅは、ボール、ディスク、ゲーム用駒（game piece）、あるいは他の対象物を含んでもよい。促進用対象物４０ｅは、フィルター、カバー、あるいは除去可能なクロージャーが本体１２から取り除かれたときに、露出するかもしれない。促進用対象物４０ｅは、促進用情報を伝えるのに適した単語（例えば「勝者」）、通し番号、画像、あるいは他のしるしを有してもよい。
【００４４】
上の記述は、一もしくは複数のプロセスあるいは装置の例を提供しているが、他のプロセスあるいは装置が添付の請求範囲の範囲内にあってもよいことは認識されるだろう。
【図１】
2016518884.tif 000003
【図２（ａ）】
2016518884.tif 000004
【図２（ｂ）】
2016518884.tif 000005
【図２（ｃ）】
2016518884.tif 000006
【図３（ａ）】
2016518884.tif 000007
【図３（ｂ）】
2016518884.tif 000008
【図３（ｃ）】
2016518884.tif 000009
【図４】
2016518884.tif 000010
【図５】
2016518884.tif 000011
【図６】
2016518884.tif 000012
【図７】
2016518884.tif 000013
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記内部空間に配置されたメッセージングシステムと、このメッセージングシステムは、流体がカプセルに注入された状態を検出する水分センサーを備え、カプセルへの流体の注入において所望のメッセージを伝えるのに適したものである、
上記内部空間を密閉するものであり上記開口部を覆い配置されるカバーと、
を備えたカプセル。
【請求項２】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記内部空間に配置されたメッセージングシステムと、このメッセージングシステムは、機械の注入システム及び分配システムの少なくとも一つによってカプセルが突き刺された状態を検出するセンサーを備え、カプセルの穿孔において所望のメッセージを伝えるのに適しているものである、
上記内部空間を密閉するものであり上記開口部を覆い配置されるカバーと、
を備えたカプセル。
【請求項３】
上記メッセージングシステムは、さらに信号伝達システムを備え、この信号伝達システムは、カプセル内へ流体が注入された状態を上記水分センサーが検出したことにおいて所望の信号を発するものである、請求項１に記載のカプセル。
【請求項４】
上記メッセージングシステムは、さらに信号伝達システムを備え、この信号伝達システムは、機械の注入システム及び分配システムの少なくとも一つによってカプセルが突き刺された状態をセンサーが検出したことにおいて所望の信号を発するものである、請求項２に記載のカプセル。
【請求項５】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記内部空間に配置されたメッセージングシステムと、このメッセージングシステムは、カプセルによって作られることが意図される製品と通常関連しない一もしくは複数の特有の属性を、カプセルから分配される製品が有するために、当該カプセルに注入された流体と相互作用するのに適した物質を備える、
上記内部空間を密閉するものであり上記開口部を覆い配置されるカバーと、
を備えたカプセル。
【請求項６】
上記メッセージングシステムは、発音部を備える、請求項１から４のいずれかに記載のカプセル。
【請求項７】
上記メッセージングシステムは、リーダーによって読まれるのに適したタグを備える、請求項１から６のいずれかに記載のカプセル。
【請求項８】
上記材料の少なくとも幾つかを濾過する、上記内部空間に配置されたフィルターをさらに備える、請求項１から７のいずれかに記載のカプセル。
【請求項９】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記開口部を覆い配置され上記本体にシールされるものであるカバーと、このカバーは機械におけるカプセルの使用後に上記本体から離れてカバーを剥がすことによって少なくとも部分的に上記開口部から除去されるのに適するものである、
カプセルの内面に表示されるしるしと、このしるしは、上記カバーが本体から離れて少なくとも部分的に剥がされた状態においてのみ所望のメッセージを伝えるのに適したものである、
を備えたカプセル。
【請求項１０】
上記本体は、上記開口部を囲むフランジを含み、上記カバーはフランジにシールされるものである、請求項９に記載のカプセル。
【請求項１１】
上記カバーは、カプセルへ流体を注入するものである注入システムによって貫通されるのに適したものである、請求項９又は１０に記載のカプセル。
【請求項１２】
上記材料の少なくとも幾つかを濾過するものであり上記内部空間に配置されたフィルターをさらに備える、請求項９から１１のいずれかに記載のカプセル。
【請求項１３】
上記フィルターは、上記本体にシールされるものである、請求項１２に記載のカプセル。
【請求項１４】
上記フィルターは、上記カバーにシールされるものである、請求項１２に記載のカプセル。
【請求項１５】
上記本体から離れて上記カバーを剥がすのに適したものであるタブをさらに備えた、請求項９から１４のいずれかに記載のカプセル。
【請求項１６】
上記しるしは、上記本体の内面に表示されるものである、請求項９から１５のいずれかに記載のカプセル。
【請求項１７】
上記しるしは、上記内部空間に面する上記カバーの面に表示されるものである、請求項９から１５のいずれかに記載のカプセル。
【請求項１８】
上記本体は、上記しるしを表示するメッセージング層、及びメッセージング層を覆い上記内部空間に面するシール層を含む多層材料を備える、請求項９から１５のいずれかに記載のカプセル。
【請求項１９】
上記カバーは、上記しるしを表示するメッセージング層、及びメッセージング層を覆い上記内部空間に面するシール層を含む多層材料を備える、請求項９から１５のいずれかに記載のカプセル。
【請求項２０】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記開口部を覆い配置され上記本体にシールされるものであるカバーと、
当該カプセルの一部を覆い配置される除去可能なクロージャーと、
カプセルの内面に表示されるしるしと、このしるしは、上記除去可能なクロージャーが当該カプセルの一部から除去された状態においてのみ所望のメッセージを伝えるのに適したものである、
を備えたカプセル。
【請求項２１】
上記カバーは、機械におけるカプセルの使用後に上記本体から離れてカバーを剥がすことによって少なくとも部分的に上記開口部から除去されるのに適したものである、請求項２０に記載のカプセル。
【請求項２２】
上記本体は、上記開口部を囲むフランジを含み、上記カバーはフランジにシールされるものである、請求項２０又は２１に記載のカプセル。
【請求項２３】
上記カバーは、カプセルへ流体を注入するものである注入システムによって貫通されるのに適したものである、請求項２０から２２のいずれかに記載のカプセル。
【請求項２４】
上記材料の少なくとも幾つかを濾過するものであり上記内部空間に配置されたフィルターをさらに備える、請求項２０から２３のいずれかに記載のカプセル。
【請求項２５】
上記フィルターは、上記本体にシールされるものである、請求項２４に記載のカプセル。
【請求項２６】
上記フィルターは、上記カバーにシールされるものである、請求項２４に記載のカプセル。
【請求項２７】
上記本体から離れて上記除去可能なクロージャーを剥がすのに適したものであるタブをさらに備えた、請求項２０から２６のいずれかに記載のカプセル。
【請求項２８】
上記本体は、上記しるしを表示するメッセージング層、及びメッセージング層を覆い上記内部空間に面するシール層を含む多層材料を備える、請求項２０から２７のいずれかに記載のカプセル。
【請求項２９】
上記カバーは、上記しるしを表示するメッセージング層、及びメッセージング層を覆い上記内部空間に面するシール層を含む多層材料を備える、請求項２０から２７のいずれかに記載のカプセル。
【請求項３０】
上記本体は、上記内部空間を共に形成する側壁及び端壁を含み、上記除去可能なクロージャーは、上記端壁において形成される開口を覆うのに適したものである、請求項２０から２９のいずれかに記載のカプセル。
【国際調査報告】
2016518884.tif 000014
2016518884.tif 000015